(57)【特許請求の範囲】
【請求項１】
ベルトと、
環状部分および鉤状部分から成り６の字形状を呈する一対のスリット付掛止部材であって、前記環状部分で前記ベルトの両端部に取り付けられ、前記鉤状部分で複数の荷物袋を掛止することができるスリット付掛止部材と、
前記ベルトのうち前記スリット付掛止部材の前記環状部分の近傍部分に配設される係止部と、
前記ベルトを挟んで係止部側のスリット付掛止部材の反対側に配設されるスリット付掛止部材の前記環状部分の近傍のベルト部分に配設され、前記係止部に係止されることができる被係止部と
を備え、
前記スリット付掛止部材には、前記鉤状部分の内側にすべり止めが設けられており、
前記被係止部が前記係止部に係止されると輪状になり、鞄の両方の持ち手に通すことによって前記鞄の口の留め具として使用しながら携帯することができる状態となり、
前記係止部に対する前記被係止部の係止が解除されると長尺体状になり、前記ベルトを肩に掛けることによって、前記スリット付掛止部材に掛止された前記複数の荷物袋を保持することができる状態となる
多荷物袋保持補助ベルト。
【請求項２】
前記すべり止めは、凹凸形状を呈する
請求項１に記載の多荷物袋保持補助ベルト。
【請求項３】
前記ベルトには、前記係止部の配設側の反対側の面にすべり止めが取り付けられている
請求項１または２に記載の多荷物袋保持補助ベルト。
【請求項４】
前記係止部と前記被係止部の間に配設され、前記ベルトの長さを伸縮させるベルト伸縮部をさらに備える
請求項１から３のいずれか１項に記載の多荷物袋保持補助ベルト。
【発明の詳細な説明】
【技術分野】
【０００１】
本発明に係る多荷物袋保持補助ベルトは、増え続ける乳がん患者の苦痛をできるだけ少なくし、乳がん患者が従来の生活に戻れるように手助けするものである。
【背景技術】
【０００２】
増え続ける乳がん患者は、手術時に脇の下のリンパ節において行うセンチネタル検査の後遺症で常に痛みを伴い、特に重い荷物などを持つと痛む、ひどい場合は生涯浮腫が発生し日常生活さえも困難になる場合がある。
【０００３】
乳がん患者は、手術後、家庭生活や社会人生活を従来通り、または少々劣る程度に送るにあたり、重い荷物を当然持たなければならない。
【０００４】
買い物一つをとっても、次々増えていくビニール袋や紙袋を両手に分けて手で持つことも、乳がん患者には５分でもきつい作業であり、医師に相談しても解決策はなく、医師も医療上、そのようなものが必要だと考えている。
【先行技術文献】
【特許文献】
【０００５】
【特許文献１】登録実用新案第３１４９９７６号
【特許文献２】登録実用新案第３１７５８３０号
【発明の概要】
【発明が解決しようとする課題】
【０００６】
常に携帯可能で、軽く、増える荷物袋をまとめて肩から掛けることで、感じる重量を軽減し、浮腫の発生原因も軽減させることを可能とする多荷物袋保持補助ベルトを提供することを課題とする。
【課題を解決するための手段】
【０００７】
本願発明の多荷物袋保持補助ベルトは、ベルト、スリット付掛止部材、係止部および被係止部を備える。スリット付掛止部材は、一対存在し、それぞれスリットを有している。このスリット付掛止部材は、環状部分および鉤状部分から成り、６の字形状を呈する。そして、この掛止部材は、環状部分でベルトの両端に取り付けられている。また、このスリット付掛止部材は、鉤状部分で複数の荷物袋を掛止することができる。さらに、このスリット付掛止部材には、鉤状部分の内側にすべり止めが設けられている。なお、このすべり止めは凹凸形状を呈するのが好ましい。係止部は、ベルトのうちスリット付掛止部材の環状部分の近傍部分に配設されている。また、被係止部は、ベルトを挟んで係止部側のスリット付掛止部材の反対側に配設されるスリット付掛止部材の環状部分の近傍のベルト部分に配設されている。そして、この被係止部は、係止部に係止されることができる。さらに、被係止部が係止部に係止されると、多荷物袋保持補助ベルトが輪状になり、鞄の両方の持ち手に通すことによって鞄の口の留め具として使用しながら携帯することができる状態となる。一方、係止部に対する被係止部の係止が解除されると、多荷物袋保持補助ベルトが長尺体状になり、ベルトを肩に掛けることによって、スリット付掛止部材に掛止された複数の荷物袋を保持することができる状態となる。
【０００８】
なお、この多荷物袋保持補助ベルトはベルト伸縮部をさらに備えるのが好ましい。ベルト伸縮部は、ベルトを伸縮係止部と前記被係止部の間に配設される。そして、このベルト伸縮部は、ベルトの長さを伸縮させる。
【発明の効果】
【０００９】
本願発明の多荷物袋保持補助ベルトは、軽量であって、持ち運びが簡単であり、体への負担軽減が可能である。
【図面の簡単な説明】
【００１０】
【図１】本発明の実施の形態に係る多荷物袋保持補助ベルトの全体図である。
【図２】図１のＡ部分の拡大図である。
【図３】図１のＢ部分の拡大図である。
【図４】本発明の実施の形態に係る多荷物袋保持補助ベルトを実際に鞄につけて携帯する状態の図である。
【図５】本発明の実施の形態に係る多荷物袋保持補助ベルトを実際に使用している状態の図である。
【図６】本発明の実施の形態に係る多荷物袋保持補助ベルトが伸ばされた時の状態の図である。
【図７】本発明の実施の形態に係る多荷物袋保持補助ベルトの裏側の図である。
【発明を実施するための形態】
【００１１】
本発明の実施の形態に係る多荷物袋保持補助ベルト１０は、図１および図７に示されるように、主に、ベルト１５、第１スリット付掛止部材１１ａ、第２スリット付掛止部材１１ｂ、突起部１２ａ、留め具１２ｂ、穴１３、第１伸縮簡易固定部１４ａ、第２伸縮簡易固定部１４ｂおよびゴム製すべり止め部１６から構成されている。
【００１２】
ベルト１５の片端に第１スリット付掛止部材１１ａが取り付けられており、ベルト１５のもう一方の片端に第２スリット付掛止部材１１ｂが取り付けられている。
【００１３】
第１スリット付掛止部材１１ａおよび第２スリット付掛止部材１１ｂは、図１、図２、図３に示されるように、数字の６または９のような形状をしており、環状部分にベルト１５が固定されており、鉤状部分に買い物袋ＢＧが引っ掛けられる。鉤状部分の内側にはすべり止め用の凹凸がついている。
【００１４】
ベルト１５の第１スリット掛止部材側の端部には、穴１３が形成されている。一方ベルト１５の第２スリット掛止部材側の端部には、突起部１２ａが設けられている。この突起部１２ａは、ベルト１５の裏側に設けられる留め具１２ｂによって固定されている。また、この突起部１２ａは、先に説明した穴１３に係合可能であり、突起部１２ａが穴１３に係合された時の状態は図４に示される通りである。なお、図４に示される状態は本発明の実施の形態にかかる多荷物袋保持補助ベルト１０を鞄の持ち手に付けて携帯する際の状態である。
【００１５】
第１伸縮簡易固定部１４ａおよび第２伸縮簡易固定部１４ｂはベルト１５の長さを調整する部位である。第１伸縮簡易固定部１４ａおよび第２伸縮簡易固定部１４ｂを用いた具体的な簡易固定方法としては、例えば、ベルトを二回折り返し、２か所にできる折り返し部分をそれぞれ第１伸縮簡易固定部１４ａおよび第２伸縮簡易固定部１４ｂで挟んで止める方法がある。なお、ベルト１５の長さを調整する際は、第１伸縮簡易固定部１４ａおよび第２伸縮簡易固定部１４ｂによる簡易固定を一度解除してから、ベルト１５の折り返し部分長さを変えた後、再度、第１伸縮簡易固定部１４ａおよび第２伸縮簡易固定部１４ｂにより、折り返し部分を固定する。
【００１６】
ゴム製すべり止め部１６は、図７に示されるように、ベルト１５の裏側中央部分に設けられている。このゴム製すべり止め具１６は、第１伸縮簡易固定部１４ａおよび第２伸縮簡易固定部１４ｂによるベルト１５の簡易固定を解除して伸長した時に、ベルト１５の裏側中央部分に現れる。
【００１７】
以下に本発明の実施の形態に係る多荷物袋保持補助ベルト１０の使用方法を説明する。
【００１８】
実際の使用にあたり伸縮時は鞄の両方の持ち手に通し携帯しつつ、チャックなどが無くても鞄の口が大きく開かないようにする留め具として使用でき、実際に荷物袋が増えてきた場合、第１スリット掛止部材１１ａおよび第２スリット掛止部材１１ｂから買い物袋ＢＧを挿入し、そのまま一つの鞄に装着した状態で使用することも可能であるし、また荷物袋が増えてきた場合、肩部にショルダーとしてかけることで複数の買い物袋ＢＧを第１スリット掛止部材１１ａおよび第２スリット掛止部材１１ｂにかけることができる。その際に全体を伸長させ、突起部１２ａと穴１３を組み合わせて固定させることも可能であるため、ある程度の重量に耐えうることができ、かつゴム製すべり止め具１６により、安定させることもできる。
【００１９】
このゴム製すべり止め具１６は、伸長時以外、ベルト１０と重なっているため現れない仕様になっている。既に第１スリット掛止部材１１ａおよび第２スリット掛止部材１１ｂに買い物袋ＢＧが挿入されていても第１伸縮簡易固定部１４ａおよび第２伸縮簡易固定部１４ｂは各々で移動させることが可能であるため、一旦買い物袋ＢＧを降ろす必要もなく片手で必要分だけ伸長することが可能である。
【符号の説明】
【００２０】
１０      多荷物袋保持補助ベルト
１１ａ    第１スリット付掛止部材
１１ｂ    第２スリット付掛止部材
１２ａ    突起部
１２ｂ    留め具
１３      穴
１４ａ    第１伸縮簡易固定部
１４ｂ    第２伸縮簡易固定部
１５      ベルト
１６      ゴム製すべり止め部
ＳＤ      人の肩
ＢＧ      買い物袋
【要約】
【課題】乳がん癌患者が術後、今まで通りの生活をすることは現実的に厳しい。まず癌部分摘出手術の際に同時に行われるセンチネタル検査の影響で、術側腕が従来の動きを果たさなくなる。まずは重いものを持つ事が困難になる。それでも育児や家事、会社勤務などを今まで通り遂行しなくてはいけない。肉体的にも精神的にも何らかの手助けが必要となる。そのストレスを軽減しなければならない。
【解決手段】本発明の補助具ベルトは日常的に軽く携帯できファッション性に富み、荷物の増減に合わせてショルダーバック様に肩から下げることもできるベルトであり、今後増え続ける乳がん患者の生活の支援物として発明した。買い物の際に荷物が増えてきた場合、両端に配設されたすべり止め付スリットに、ビニール袋を入れ込んでいくことで簡単にショルダーバッグの役割を果たす。その際にも裏部に配置したすべり止めで、肩からずり落ちることなく重さの軽減にもつながる。
【選択図】図７【図１】
0005997353.tif 000002
【図２】
0005997353.tif 000003
【図３】
0005997353.tif 000004
【図４】
0005997353.tif 000005
【図５】
0005997353.tif 000006
【図６】
0005997353.tif 000007
【図７】
0005997353.tif 000008